(57)【要約】【課題】情報端末装置の表示画面に表示されたコンテンを簡単かつ短時間に記録用紙に印刷する。【解決手段】原稿を搬送しつつ読取り定位置で読取るシートスルー方式の画像読取り装置５１の利用を前提としており、画像読取り装置５１における読取り定位置に情報端末装置１の表示画面３ａを配置し、情報端末装置１により表示画面３ａのコンテンツをスクロール表示させ、画像読取り装置５１により表示画面３ａのコンテンツを読取らせ、画像形成装置Ａによりコンテンツを記録用紙に記録することを可能にしている。【選択図】図１
2012093903.tif 000002
【特許請求の範囲】
【請求項１】
コンテンツを表示画面にスクロール表示する機能を持つ情報端末装置であって、
前記表示画面のスクロール速度を、原稿を搬送しつつ読取り定位置で読取るシートスルー方式の画像読取り装置の原稿搬送速度と一致するように調節設定して、前記表示画面にコンテンツをスクロール表示する制御部と、
前記制御部によるコンテンツのスクロール表示の開始を指示するスクロール開始指示部とを備えたことを特徴とする情報端末装置。
【請求項２】
請求項１に記載の情報端末装置であって、
複数種の画像読取り装置の識別情報又は前記各画像読取り装置を搭載したそれぞれの画像形成装置の識別情報と前記各画像読取り装置の原稿搬送速度とを対応付けて記憶した搬送速度記憶部を備え、
前記制御部は、前記搬送速度記憶部に記憶されている前記各画像読取り装置の識別情報又は前記各画像形成装置の識別情報を前記表示画面に表示し、前記情報端末装置の入力操作により前記表示画面上で識別情報が選択指示されると、前記搬送速度記憶部に記憶されている前記選択指示された識別情報に対応する原稿搬送速度をスクロール速度として設定することを特徴とする情報端末装置。
【請求項３】
請求項１に記載の情報端末装置であって、
前記制御部は、前記情報端末装置の入力操作により指示された前記原稿搬送速度をスクロール速度として設定することを特徴とする情報端末装置。
【請求項４】
請求項２に記載の情報端末装置であって、
前記制御部は、前記情報端末装置の入力操作により画像読取り装置の識別情報又は前記画像読取り装置を搭載した画像形成装置の識別情報と前記画像読取り装置の原稿搬送速度を指示され、前記画像読取り装置の識別情報又は前記画像形成装置の識別情報と前記原稿搬送速度とを対応付けて前記搬送速度記憶部に記憶することを特徴とする情報端末装置。
【請求項５】
請求項１〜４のいずれか１つに記載の情報端末装置であって、
前記スクロール開始指示部は、前記表示画面と同一方向に向けられた受光素子を有し、前記受光素子の受光出力に応答してスクロール表示の開始を指示することを特徴とする情報端末装置。
【請求項６】
請求項１〜４のいずれか１つに記載の情報端末装置であって、
前記スクロール開始指示部は、前記情報端末装置の入力操作に応答してスクロール表示の開始を指示することを特徴とする情報端末装置。
【請求項７】
請求項１〜６のいずれか１つに記載の情報端末装置であって、
前記表示画面が上方及び下方のいずれに向けられたかを検出する上下検出部を備え、
前記制御部は、前記上下検出部により検出された前記表示画面の向きが上方であるときにスクロール表示に係る情報を該表示画面に表示し、前記上下検出部により検出された前記表示画面の向きが下方であるときにコンテンツを該表示画面に表示することを特徴とする情報端末装置。
【請求項８】
請求項１〜７のいずれか１つに記載の情報端末装置であって、
前記制御部は、コンテンツのサイズと記録用紙の定型サイズに基づき前記記録用紙に記録されるときの前記コンテンツの拡大倍率を求めて表示することを特徴とする情報端末装置。
【発明の詳細な説明】
【技術分野】
【０００１】
本発明は、コンテンツを表示画面にスクロール表示する機能を持つ情報端末装置に関する。
【背景技術】
【０００２】
携帯電話機、電子手帳、電子辞書等の情報端末装置においては、文字や図形等を入力して、テキスト等のコンテンツを作成したり、コンテンツをメモリから読み出して、これらのコンテンツを表示画面に表示することができる。
【０００３】
また、特許文献１では、そのような情報端末装置の表示画面が小さいことから、コンテンツを一定速度でスクロール表示して、コンテンツ全体を表示するようにしている。
【先行技術文献】
【特許文献】
【０００４】
【特許文献１】特開２００１−２８２４１４号公報
【発明の概要】
【発明が解決しようとする課題】
【０００５】
ところで、情報端末装置の表示画面にコンテンツを表示するだけではなく、コンテンツを記録用紙に印刷したいことがある。この場合は、情報端末装置を有線又は無線でコンピュータに接続して、コンテンツを情報端末装置からコンピュータへと送受し、コンテンツをコンピュータからプリンタもしくは複合機等の画像形成装置へと転送して、コンテンツを画像形成装置で印刷していた。
【０００６】
しかしながら、そのような情報端末装置からコンピュータを介して画像形成装置へのコンテンツの転送には手間と時間を要した。
【０００７】
そこで、本発明は、上記課題を解決するためになされたものであり、情報端末装置の表示画面に表示されたコンテンを簡単かつ短時間に記録用紙に印刷することを可能にする情報端末装置を提供することを目的とする。
【課題を解決するための手段】
【０００８】
上記課題を解決するために、本発明の情報端末装置は、コンテンツを表示画面にスクロール表示する機能を持つ情報端末装置であって、前記表示画面のスクロール速度を、原稿を搬送しつつ読取り定位置で読取るシートスルー方式の画像読取り装置の原稿搬送速度と一致するように調節設定して、前記表示画面にコンテンツをスクロール表示する制御部と、前記制御部によるコンテンツのスクロール表示の開始を指示するスクロール開始指示部とを備えている。
【０００９】
このように表示画面のスクロール速度を、シートスルー方式の画像読取り装置の原稿搬送速度と一致するように調節設定した場合は、情報端末装置の表示画面を画像読取り装置による読取り定位置に配置して、情報端末装置の表示画面のスクロール方向を画像読取り装置による原稿搬送方向に一致させ、画像読取り装置による読取り動作の開始と同時に表示画面のスクロール表示を開始すると、表示画面上のコンテンツが原稿と同様に搬送されている状態となって、画像読取り装置により表示画面上のコンテンツが原稿と同様に読取られる。また、表示画面よりも大きなサイズのコンテンツを読取ることができる。この読取ったコンテンツは、プリンタや複合機等の画像形成装置で直ちに記録用紙に記録することができる。
【００１０】
また、本発明の情報端末装置においては、複数種の画像読取り装置の識別情報又は前記各画像読取り装置を搭載したそれぞれの画像形成装置の識別情報と前記各画像読取り装置の原稿搬送速度とを対応付けて記憶した搬送速度記憶部を備え、前記制御部は、前記搬送速度記憶部に記憶されている前記各画像読取り装置の識別情報又は前記各画像形成装置の識別情報を前記表示画面に表示し、前記情報端末装置の入力操作により前記表示画面上で識別情報が選択指示されると、前記搬送速度記憶部に記憶されている前記選択指示された識別情報に対応する原稿搬送速度をスクロール速度として設定している。
【００１１】
これにより、画像形成装置の種類別に原稿搬送速度が異なっていても、スクロール速度を原稿搬送速度に容易に一致させることができる。
【００１２】
更に、本発明の情報端末装置においては、前記制御部は、前記情報端末装置の入力操作により指示された前記原稿搬送速度をスクロール速度として設定している。
【００１３】
これにより、任意のスクロール速度を設定することができる。
【００１４】
更に、本発明の情報端末装置においては、前記制御部は、前記情報端末装置の入力操作により画像読取り装置の識別情報又は前記画像読取り装置を搭載した画像形成装置の識別情報と前記画像読取り装置の原稿搬送速度を指示され、前記画像読取り装置の識別情報又は前記画像形成装置の識別情報と前記原稿搬送速度とを対応付けて前記搬送速度記憶部に記憶している。
【００１５】
これにより、任意のスクロール速度を設定した後の再設定が容易になる。
【００１６】
また、本発明の情報端末装置においては、前記スクロール開始指示部は、前記表示画面と同一方向に向けられた受光素子を有し、前記受光素子の受光出力に応答してスクロール表示の開始を指示している。
【００１７】
このような受光素子により画像読取り装置の原稿の照明光を検出し、受光素子の受光出力に応答してスクロール表示を開始すれば、スクロール表示を適確なタイミングで自動的に開始することができる。
【００１８】
更に、本発明の情報端末装置においては、前記スクロール開始指示部は、前記情報端末装置の入力操作に応答してスクロール表示の開始を指示している。
【００１９】
このように入力操作によりスクロール表示を開始させても構わない。
【００２０】
また、本発明の情報端末装置においては、前記表示画面が上方及び下方のいずれに向けられたかを検出する上下検出部を備え、前記制御部は、前記上下検出部により検出された前記表示画面の向きが上方であるときにスクロール表示に係る情報を該表示画面に表示し、前記上下検出部により検出された前記表示画面の向きが下方であるときにコンテンツを該表示画面に表示している。
【００２１】
このような表示画面の切替え表示により、情報端末装置の使勝手が向上する。
【００２２】
更に、本発明の情報端末装置においては、前記制御部は、コンテンツのサイズと記録用紙の定型サイズに基づき前記記録用紙に記録されるときの前記コンテンツの拡大倍率を求めて表示している。
【００２３】
このように表示されたコンテンツの拡大倍率を画像形成装置に設定すれば、拡大倍率の設定を誤ることがない。
【発明の効果】
【００２４】
本発明のように表示画面のスクロール速度を、シートスルー方式の画像読取り装置の原稿搬送速度と一致するように調節設定した場合は、情報端末装置の表示画面を画像読取り装置による読取り定位置に配置して、情報端末装置の表示画面のスクロール方向を画像読取り装置による原稿搬送方向に一致させ、画像読取り装置による読取り動作の開始と同時に表示画面のスクロール表示を開始すると、表示画面上のコンテンツが原稿と同様に搬送されている状態となって、画像読取り装置により表示画面上のコンテンツが原稿と同様に読取られる。また、表示画面よりも大きなサイズのコンテンツを読取ることができる。この読取ったコンテンツは、プリンタや複合機等の画像形成装置で直ちに記録用紙に記録することができる。
【図面の簡単な説明】
【００２５】
【図１】本発明の情報端末装置の第１実施形態を概略的に示す平面図である。
【図２】第１実施形態の情報端末装置の構成を示すブロック図である。
【図３】シートスルー方式の画像読取り装置を搭載した画像形成装置を示す断面図である。
【図４】第１実施形態において、情報端末装置の表示画面に表示されているコンテンツを画像読取り装置で読取らせて画像形成装置で記録用紙に印刷させる手順を示すフローチャートである。
【図５】（ａ）は定型サイズと縦横比率が略同一であるコンテンツを定型サイズに収まるように拡大して示す図であり、（ｂ）は横幅に対する縦幅の比が定型サイズよりも小さいコンテンツを拡大して示す図である。
【図６】（ａ）は情報端末装置の表示画面を上方に向けた状態を示す斜視図であり、（ｂ）は表示画面の表示情報を示す図である。
【図７】（ａ）は情報端末装置の表示画面を下方に向けた状態を示す斜視図であり、（ｂ）は表示画面のコンテンツを示す図である。
【図８】（ａ）は複数頁のコンテンツを示し、（ｂ）は複数頁に対するコンテンツの割り振りを修正した状態を示し、（ｃ）は各頁のコンテンツを拡大して示す図である。
【図９】本発明の情報端末装置の第２実施形態で用いられるデータテーブルを概念的に示す図である。
【図１０】第２実施形態において、情報端末装置の表示画面に表示されているコンテンツを画像読取り装置で読取らせて画像形成装置で記録用紙に印刷させる手順を示すフローチャートである。
【図１１】第３実施形態において、情報端末装置の表示画面に表示されているコンテンツを画像読取り装置で読取らせて画像形成装置で記録用紙に印刷させる手順を示すフローチャートである。
【図１２】第３実施形態の情報端末装置の表示画面に表示される任意設定ウィンドウを示す図である。
【発明を実施するための形態】
【００２６】
以下、本発明の実施形態を添付図面を参照して詳細に説明する。
【００２７】
図１は、本発明の情報端末装置の第１実施形態を概略的に示す平面図である。第１実施形態の情報端末装置１は、電子手帳、電子辞書等の携帯型の情報端末装置であり、本体筐体２の表側に液晶表示装置３の表示画面３ａと、複数の操作キー４と、受光素子５とが配置されている。受光素子５は、液晶表示装置３の表示画面３ａの側辺近傍に配置されており、その受光面が液晶表示装置３の表示画面３ａと同一方向に向き、本体筐体２の表側に対する入射光を受光して、受光信号を出力する。
【００２８】
また、液晶表示装置３の表示画面３ａには透明なタッチパネル（図示せず）が重ねられており、表示画面３ａに表示された操作ボタン等が指示されると、この指示された操作ボタン等がタッチパネルで検出される。
【００２９】
図２は、第１実施形態の情報端末装置１の構成を示すブロック図である。図２において、入力操作部１１は、複数の操作キー４及び液晶表示装置３の表示画面３ａに重ねられたタッチパネル等を備え、各操作キー４に対する入力指示を検出したり、液晶表示装置３の表示画面３ａ上の操作ボタンに対する入力指示をタッチパネルを介して検出し、その入力指示された操作キーや操作ボタンを示す操作信号を出力する。
【００３０】
記憶部１２は、ＲＡＭ、ＲＯＭ、ＨＤＤ等からなり、各種のプログラムやデータ等を記憶する。姿勢センサ１３は、液晶表示装置３の表示画面３ａが下方及び上方のいずれに向いているかを検出するものであって、下方及び上方のいずれかを示す検出信号を出力する。
【００３１】
制御部１４は、ＣＰＵ、各種のインターフェース等を備え、情報端末装置１を統括的に制御する。例えば、制御部１４は、プログラムを記憶部１２から読み出して実行し、操作キー４や表示画面３ａ上の操作ボタンに対する入力指示を示す操作信号を入力操作部１１から入力して、この操作信号に応答してプログラムの処理を進めつつ、この処理の進行状況や結果等を表示画面３ａに表示する。より具体的には、情報端末装置１が電子手帳である場合は、テキストを作成するためのプログラムを記憶部１２から読出して実行し、操作キー４や表示画面３ａ上の操作ボタンの操作により入力された文字等を表示画面３ａに表示して、表示画面３ａ上にテキスト等のコンテンツを作成し、このコンテンツを記憶部１２に記憶したり、操作キー４や表示画面３ａ上の操作ボタンに対する入力指示に応答して記憶部１２からテキスト等のコンテンツを読み出して表示画面３ａに表示する。また、情報端末装置１が電子辞書である場合は、辞書を検索するためのプログラムを記憶部１２から読出して実行し、操作キー４や表示画面３ａ上の操作ボタンの操作により入力された単語を表示画面３ａに表示し、この単語に対応するコンテンツを記憶部１２内の単語データベースで検索し、このコンテンツを表示画面３ａに表示する。
【００３２】
また、制御部１４は、操作キー４や表示画面３ａ上の操作ボタンに対する入力指示に応答して表示画面３ａのコンテンツをスクロール表示する。情報端末装置１が携帯型のものであって、表示画面３ａのサイズが小さく、コンテンツ全体を表示画面３ａに一度で表示することができない。このため、表示画面３ａのコンテンツをスクロール表示する必要がある。
【００３３】
ところで、このような情報端末装置１を利用する上で、液晶表示装置３の表示画面３ａに表示されたコンテンツを記録用紙に印刷して記録したいことがある。従来は、情報端末装置１を有線又は無線でコンピュータ（図示せず）に接続して、コンテンツを情報端末装置１からコンピュータへと送受し、コンテンツをコンピュータからプリンタもしくは複合機等の画像形成装置（図示せず）へと転送して、コンテンツを画像形成装置で印刷していたので、手間と時間を要した。
【００３４】
そこで、第１実施形態においては、原稿を搬送しつつ読取り定位置で読取るシートスルー方式の画像読取り装置の利用を前提として、画像読取り装置における読取り定位置に情報端末装置１の表示画面３ａを配置し、原稿搬送方向（副走査方向）と情報端末装置１の表示画面３ａの縦方向を一致させ、情報端末装置１により表示画面３ａのコンテンツを該表示画面３ａの縦方向にスクロール表示させ、画像読取り装置により表示画面３ａのコンテンツを読取らせ、画像形成装置によりコンテンツを記録用紙に記録することを可能にしている。
【００３５】
また、第１実施形態の情報端末装置１では、表示画面３ａのコンテンツのスクロール速度を画像読取り装置の原稿搬送速度と一致するように調節設定している。これにより、画像読取り装置により読取られたコンテンツが原稿搬送方向で長くなったり短くなったりせず、表示画面３ａよりも大きなサイズのコンテンツを読取って記録用紙に記録することができる。
【００３６】
次に、シートスルー方式の画像読取り装置について説明する。図３は、シートスルー方式の画像読取り装置を搭載した画像形成装置（複合機）を示す断面図である。この画像形成装置Ａは、スキャナ機能、複写機能、プリンタ機能、及びファクシミリ機能等を有する所謂複合機であり、画像読取り装置５１により読取られた原稿の画像を外部に送信したり、この読取られた原稿の画像又は外部から受信した画像をカラーもしくは単色で記録用紙に記録形成したりする。
【００３７】
画像形成装置Ａは、画像を記録用紙に印刷するべく、光走査装置２１、現像装置２２、感光体ドラム２３、ドラムクリーニング装置２４、帯電器２５、中間転写ベルト装置２６、定着装置２７、用紙搬送経路Ｓ、給紙トレイ２８、及び用紙排出トレイ２９等を備えている。
【００３８】
画像形成装置Ａにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２２、感光体ドラム２３、ドラムクリーニング装置２４、及び帯電器２５は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３９】
各感光体ドラム２３は、それらの表面に光感光層を有している。各帯電器２５は、それぞれの感光体ドラム２３の表面を所定の電位に均一に帯電させるための帯電手段であり、接触型であるローラ型やブラシ型の帯電器のほか、チャージャー型の帯電器が用いられる。
【００４０】
光走査装置２１は、レーザダイオード及び反射ミラーを備えたレーザスキャニングユニット（ＬＳＵ）であり、帯電された各感光体ドラム２３表面を画像データに応じて露光して、それらの表面に画像データに対応する静電潜像を形成する。
【００４１】
各現像装置２２は、それぞれの感光体ドラム２３表面に形成された静電潜像を各色のトナーにより現像し、これらの感光体ドラム２３表面にトナー像を形成する。各ドラムクリーニング装置２４は、現像及び画像転写後にそれぞれの感光体ドラム２３表面に残留したトナーを除去及び回収する。
【００４２】
中間転写ベルト装置２６は、各感光体ドラム２３の上方に配置されており、中間転写ベルト３１、中間転写ベルト駆動ローラ３２、従動ローラ３３、４つの中間転写ローラ３４、及びベルトクリーニング装置３５を備えている。
【００４３】
中間転写ベルト３１は、フィルムを無端ベルト状に形成したものである。中間転写ベルト駆動ローラ３２、従動ローラ３３、各中間転写ローラ３４等は、中間転写ベルト３１を張架して支持し、中間転写ベルト３１を矢印Ｃ方向に周回移動させる。
【００４４】
各中間転写ローラ３４は、中間転写ベルト３１近傍に回転可能に支持され、中間転写ベルト３１を介してそれぞれの感光体ドラム２３に押圧されている。各感光体ドラム２３表面のトナー像が中間転写ベルト３１に順次重ねて転写されて、中間転写ベルト３１上にカラーのトナー像（各色のトナー像）が形成される。各感光体ドラム２３から中間転写ベルト３１へのトナー像の転写は、中間転写ベルト３１裏面に圧接されている各中間転写ローラ３４によって行われる。各中間転写ローラ３４には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００４５】
こうして各感光体ドラム２３表面のトナー像は、中間転写ベルト３１で転写積層され、画像データによって示されるカラーのトナー像となる。このカラーのトナー像は、中間転写ベルト３１と共に搬送され、中間転写ベルト３１と二次転写装置３６の転写ローラ３６ａ間のニップ域で記録用紙上に転写される。
【００４６】
二次転写装置３６の転写ローラ３６ａには、中間転写ベルト３１上のカラーのトナー像を記録用紙に転写させるための電圧（トナーの帯電極性（−）とは逆極性（＋）の高電圧）が印加されている。
【００４７】
また、二次転写装置３６によって中間転写ベルト３１上のトナー像が記録用紙上に完全に転写されず、中間転写ベルト３１表面にトナーが残留することがあり、この残留トナーが次工程でトナーの混色を発生させる原因となる。このため、ベルトクリーニング装置３５によって中間転写ベルト３１表面の残留トナーを除去及び回収する。
【００４８】
記録用紙は、中間転写ベルト３１と二次転写装置３６の転写ローラ３６ａ間のニップ域でカラーのトナー像を転写された後、定着装置２７へと搬送される。定着装置２７は、加熱ローラ４１及び加圧ローラ４２等を備えており、加熱ローラ４１と加圧ローラ４２間に記録用紙を挟み込んで搬送する。
【００４９】
加熱ローラ４１は、図示しない温度検出器の検出出力に基づき、所定の定着温度となるように制御されており、加圧ローラ４２と共に記録用紙を熱圧着することにより、記録用紙に転写されたカラーのトナー像を溶融、混合、圧接し、記録用紙に対して熱定着させる。
【００５０】
また、画像形成装置Ａの下部には、記録用紙を供給する給紙トレイ２８が設けられている。画像形成装置Ａには、給紙トレイ２８から供給された記録用紙を二次転写装置３６や定着装置２７を経由させて用紙排出トレイ２９に送るための、用紙搬送経路Ｓが設けられている。
【００５１】
給紙トレイ２８の端部には用紙ピックアップローラ４３が設けられており、この用紙ピックアップローラ４３により給紙トレイ２８から記録用紙が１枚ずつ引き出されて用紙搬送経路Ｓへと搬送される。
【００５２】
用紙搬送経路Ｓに沿って、用紙レジストローラ４４、定着装置２７、搬送ローラ４５、及び排紙ローラ４６等が配置されている。搬送ローラ４５は、記録用紙の搬送を促進補助するための小型のローラであり、複数組設けられている。
【００５３】
用紙レジストローラ４４は、搬送されて来た記録用紙を一旦停止させて、記録用紙の先端を揃え、中間転写ベルト３１と二次転写装置３６の転写ローラ３６ａ間のニップ域で中間転写ベルト３１上のカラーのトナー像が記録用紙に転写されるように、各感光体ドラム２３及び中間転写ベルト３１の回転にあわせて、記録用紙をタイミングよく搬送する。
【００５４】
更に、記録用紙は、定着装置２７でカラーのトナー像を定着され、定着装置２７を通過した後、排紙ローラ４６によって用紙排出トレイ２９上にフェイスダウンで排出される。
【００５５】
また、記録用紙の表面だけではなく、裏面の印字を行う場合は、記録用紙を排紙ローラ４６により搬送する途中で、排紙ローラ４６を停止させてから逆回転させ、記録用紙を反転経路Ｓｒに通して、記録用紙の表裏を反転させ、記録用紙を用紙レジストローラ４４へと導き、記録用紙の表面と同様に、記録用紙の裏面に画像を記録して定着し、記録用紙を用紙排紙トレイ２９に排出する。
【００５６】
次に、画像形成装置Ａの本体上部に搭載されているシートスルー方式の画像読取り装置５１について説明する。
【００５７】
画像読取り装置５１は、読取り本体部５１ａと、原稿搬送部５１ｂとを備えている。原稿搬送部５１ｂは、その奥一辺をヒンジ（図示せず）により読取り本体部５１ａの奥一辺に枢支され、その手前部分を上下させることにより開閉される。原稿搬送部５１ｂを開いて、読取り本体部５１ａのプラテンガラス５４を開放させ、プラテンガラス５４上に原稿を載置し、この後に原稿搬送部５１ｂを閉じる。
【００５８】
読取り本体部５１ａは、プラテンガラス５４、第１走査ユニット５５、第２走査ユニット５６、結像レンズ５７、及びＣＣＤ（Charge Coupled Device）５８等を備えている。第１走査ユニット５５は、光源６１及び第１反射ミラー６２を備えており、副走査方向Ｙに原稿サイズに応じた距離だけ一定速度Ｖで移動しながら、プラテンガラス５４上の原稿を光源６１によって露光し、その反射光を第１反射ミラー６２により反射して第２走査ユニット５６へと導き、これにより原稿表面の画像を副走査方向Ｙに走査する。第２走査ユニット５６は、第２及び第３反射ミラー６３、６４を備えており、第１走査ユニット５５に追従して速度Ｖ／２で移動しつつ、原稿からの反射光を第２及び第３反射ミラー６３、６４により反射して結像レンズ５７へと導く。結像レンズ５７は、原稿からの反射光をＣＣＤ５８に集光して、原稿表面の画像をＣＣＤ５８上に結像させる。ＣＣＤ５８は、原稿の画像を繰り返し主走査方向（副走査方向Ｙと直交する方向）に走査し、その度に、１主走査ラインのアナログ画像信号を出力する。
【００５９】
また、画像読取り装置５１では、シートスルー方式により原稿画像を読取ることができる。このシートスルー方式では、原稿搬送部５１ｂにより原稿を副走査方向Ｙに搬送しつつ、読取り本体部５１ａにより原稿表面の画像を読取る。この場合は、原稿搬送部５１ｂを閉じた状態で、第１走査ユニット５５を原稿読取りガラス６５下方の読取り定位置に移動させ、第１走査ユニット５５の位置に応じて第２走査ユニット５６を位置決めし、この状態で、原稿搬送部５１ｂによる原稿の搬送を開始する。
【００６０】
原稿搬送部５１ｂでは、ピックアップローラ６６を原稿トレイ６７上の原稿に押し当て回転させて、原稿を引き出し、原稿を原稿搬送路６８を通じて搬送し、原稿を原稿読取りガラス６５と読取りガイド板６９間に通過させ、更に原稿を排紙ローラ７１から排紙トレイ７２へと搬送する。原稿搬送路６８に沿って、原稿をその先端を揃えてから搬送するレジストローラ７３や、原稿を搬送する搬送ローラ７４が配置されている。
【００６１】
この原稿の搬送に際し、第１走査ユニット５５の光源６１により原稿表面を原稿読取りガラス６５を介して照明し、原稿表面からの反射光を第１及び第２走査ユニット５５、５６の各反射ミラーにより結像レンズ５７へと導き、原稿表面からの反射光を結像レンズ５７によりＣＣＤ５８に集光させ、原稿表面の画像をＣＣＤ５８上に結像させ、これにより原稿表面の画像を読取る。
【００６２】
また、原稿の裏面を読取る場合は、中間トレイ７７をその軸周りで点線で示すように回転させておき、原稿を排紙ローラ７１から排紙トレイ７２へと排出する途中で、排紙ローラ７１を停止させて、原稿を中間トレイ７７上に受け、排紙ローラ７１を逆回転させて、原稿を反転搬送路７８を介してレジストローラ７３へと導いて、原稿の表裏を反転させ、原稿表面の画像と同様に、原稿裏面の画像を読取り、中間トレイ７７を実線で示す元の位置に戻して、原稿を排紙ローラ７１から排紙トレイ７２へと排出する。
【００６３】
こうしてＣＣＤ５８により読取られた原稿の画像は、ＣＣＤ５８からアナログ画像信号として出力され、このアナログ画像信号がデジタル画像信号（画像データ）にＡ／Ｄ変換される。そして、この画像データは、種々の画像処理を施されて画像形成装置Ａの光走査装置２１へと送受され、画像形成装置Ａにおいて画像が記録用紙に記録され、この記録用紙が複写原稿として出力される。
【００６４】
次に、図１及び図２の情報端末装置１を、図３の画像形成装置Ａの画像読取り装置５１にセットして、画像読取り装置５１により情報端末装置１の表示画面３ａに表示されているコンテンツを読取り、画像形成装置Ａによりそのコンテンツを記録用紙に印刷して記録する手順を説明する。
【００６５】
図４は、情報端末装置１の表示画面３ａに表示されているコンテンツを画像読取り装置５１で読取らせて画像形成装置Ａで記録用紙に印刷させる手順を示すフローチャートである。
【００６６】
まず、情報端末装置１の操作キー４や表示画面３ａ上の操作ボタンの操作により、液晶表示装置３の表示画面３ａ上でコンテンツを作成して表示したり、記憶部１２からコンテンツを読み出して表示画面３ａに表示する。
【００６７】
コンテンツは、その全体が表示画面３ａに一括的に表示可能であっても表示不可能であってもよい。コンテンツ全体が一括的に表示されていなくても、表示画面３ａ上でコンテンツがスクロール表示されるためである。
【００６８】
この状態で、操作キー４や表示画面３ａ上の操作ボタンを操作して、コンテンツの複写モードを指示する。これに応答して制御部１４は、表示画面３ａ上のコンテンツを一旦消去し、画像読取り装置５１の原稿搬送部５１ｂによる原稿の搬送速度を記憶部１２から読出して、この原稿の搬送速度を、表示画面３ａ上でコンテンツをスクロール表示するときのスクロール速度として設定する（ステップＳ１０１）。記憶部１２には、画像読取り装置５１の原稿搬送部５１ｂによる原稿の搬送速度が予め記憶されており、情報端末装置１で複写モードが指示されたときに、この原稿の搬送速度が記録部１２から読出されてスクロール速度として設定される。
【００６９】
また、制御部１４は、拡大されたコンテンツのサイズが記録用紙の定型サイズに収まるような該コンテンツの拡大倍率を算出して求める。例えば、記録用紙の定型サイズをＡ４（ＪＩＳ）に規定しておき、コンテンツの縦横比率と定型サイズＡ４の縦横比率が略同一である場合は、図５（ａ）に示すように拡大されたコンテンツ８５のサイズが定型サイズＡ４に収まるような拡大倍率を算出して求める。また、コンテンツの縦横比率と定型サイズＡ４の縦横比率が異なり、コンテンツの横幅に対する縦幅の比が定型サイズＡ４の横幅に対する縦幅の比よりも小さい場合は、図５（ｂ）に示すように拡大されたコンテンツ８６の横幅が定型サイズＡ４の横幅に収まるような拡大倍率を算出して求め、この拡大倍率で拡大されたコンテンツ８６が記録用紙に印刷されたときに生じる余白８７に対応するスペースを元のコンテンツに付加する。更に、コンテンツの横幅に対する縦幅の比が定型サイズＡ４の横幅に対する縦幅の比よりも大きい場合は、コンテンツの縦幅が定型サイズＡ４の縦幅に収まるような拡大倍率を算出して求める。
【００７０】
このとき、利用者が情報端末装置１の表示画面３ａを見ており、表示画面３ａが上方に向けられている。制御部１４は、姿勢センサ１３の検出信号に基づき表示画面３ａが上方に向いていると判定し、この判定をなすと、算出して求めた拡大倍率等を表示画面３ａに表示する（ステップＳ１０２）。例えば、図６（ａ）に示すように情報端末装置１の表示画面３ａが上方に向けられた状態で、図６（ｂ）に示すように画像形成装置（又は画像読取り装置）の型番、原稿搬送速度、拡大倍率を表示画面３ａに表示する。
【００７１】
利用者は、表示画面３ａに表示された拡大倍率を確認し、画像形成装置Ａの入力操作部（図示せず）を操作して、記録用紙の定型サイズＡ４と拡大倍率を指定して設定する（ステップＳ１０３）。
【００７２】
尚、拡大倍率だけではなく、記録用紙の定型サイズも表示して指定するようにしても構わない。例えば、操作キー４や表示画面３ａ上の操作ボタンを操作して、複数種の定型サイズのいずれかを指定し、拡大されたコンテンツのサイズがその指定された記録用紙の定型サイズに収まるような該コンテンツの拡大倍率を算出して求め、表示画面３ａに拡大倍率と記録用紙の定型サイズとを表示する。利用者は、画像形成装置Ａの入力操作部（図示せず）を操作して、拡大倍率と記録用紙の定型サイズとを指定して設定する。
【００７３】
この後、利用者は、原稿搬送部５１ｂを開き、情報端末装置１の表裏を反転させて、表示画面３ａを下方に向け、表示画面３ａを原稿読取りガラス６５に重ね合わせ、情報端末装置１を載置して、原稿搬送方向（副走査方向Ｙ）と情報端末装置１の表示画面３ａの縦方向を一致させる。この状態では、表示画面３ａの側辺近傍に配置された受光素子５の受光面も下方に向き、受光素子５が原稿読取りガラス６５に重ね合わされる。
【００７４】
このとき、制御部１４は、姿勢センサ１３の検出信号に基づき表示画面３ａが下方に向いていると判定し、この判定をなすと、先に表示した拡大倍率等を表示画面３ａから消去して、コンテンツを表示画面３ａに再表示する（ステップＳ１０４）。例えば、図７（ａ）に示すように情報端末装置１の表示画面３ａが下方に向けられた状態で、図７（ｂ）に示すように表示画面３ａにコンテンツを再表示する。
【００７５】
引き続いて、利用者は、画像形成装置Ａの入力操作部（図示せず）を操作して、シートスルー方式での読取りと複写の開始を指示する。画像読取り装置５１では、シートスルー方式での読取り指示に応答して第１走査ユニット５５を原稿読取りガラス６５下方の読取り定位置に移動させ、第１走査ユニット５５の位置に応じて第２走査ユニット５６を位置決めし、第１走査ユニット５５の光源６１により情報端末装置１の表示画面３ａを原稿読取りガラス６５を介して照明し、表示画面３ａからの反射光を第１及び第２走査ユニット５５、５６の各反射ミラーにより結像レンズ５７へと導き、表示画面３ａからの反射光を結像レンズ５７によりＣＣＤ５８に集光させ、表示画面３ａに表示されているコンテンツをＣＣＤ５８上に結像させ、これによりコンテンツを読取る（ステップＳ１０５）。
【００７６】
このとき、情報端末装置１では、受光素子５により光源６１の光を受光し、受光素子５の受光信号が制御部１４に加えられる。制御部１４は、受光信号を入力すると、この受光信号の入力タイミングに基づき画像読取り装置５１による読取り開始タイミングを求め、この読取り開始タイミングから、表示画面３ａのコンテンツを画像読取り装置５１の原稿搬送部５１ｂによる原稿の搬送速度と同一のスクロール速度で該表示画面３ａの縦方向にスクロール表示する（ステップＳ１０６）。図５（ａ）に示すようにコンテンツ８５だけの場合は、コンテンツだけをスクロール表示する。また、図５（ｂ）に示すような余白８７が生じる場合は、コンテンツだけではなく、余白８７に対応するスペースもスクロール表示する。
【００７７】
例えば、画像読取り装置５１において光源６１の点灯開始と同時に読取り動作が開始されるならば、情報端末装置１において受光素子５からの受光信号の出力時点が画像読取り装置５１による読取り開始タイミングとして求められて、この読取り開始タイミングから表示画面３ａ上のコンテンツのスクロール表示が開始される。また、画像読取り装置５１において光源６１の点灯開始から一定時間後に読取り動作が開始されるならば、情報端末装置１において受光素子５からの受光信号の出力時点から一定時間後のタイミングが画像読取り装置５１による読取り開始タイミングとして求められて、この読取り開始タイミングから表示画面３ａ上のコンテンツのスクロール表示が開始される。
【００７８】
そして、情報処理装置１では、表示画面３ａ上でコンテンツをその終端までスクロール表示すると、コンテンツの表示を終了する。
【００７９】
画像読取り装置５１では、光源６１の点灯を一定期間継続させてから、光源６１を消灯させ、読取り動作を終了する。例えば、一定期間がデフォルト設定されていてもよい。また、コンテンツの記録に用いられる記録用紙の定型サイズとコンテンツの拡大倍率からコンテンツの副走査方向長さを求め、コンテンツの副走査方向長さと原稿の搬送速度から光源６１の点灯を継続すべき一定期間を求めることができる。
【００８０】
このように表示画面３ａ上でコンテンツが、原稿の搬送速度と同一のスクロール速度で該表示画面３ａの縦方向にスクロール表示されると、表示画面３ａ上のコンテンツが原稿搬送方向（副走査方向Ｙ）に搬送されているような状態となって、画像読取り装置５１により表示画面３ａ上のコンテンツが原稿と同様に読取られ、画像読取り装置５１により読取られたコンテンツが副走査方向で長くなったり短くなったりしない。また、表示画面３ａよりも大きなサイズのコンテンツを読取ることができる。
【００８１】
画像形成装置Ａでは、コンテンツを示すアナログ画像信号がＣＣＤ５８から出力され、このアナログ画像信号が画像データに変換され、画像データに対する画像処理により、画像データによって示されるコンテンツが先に入力指示された拡大倍率で拡大され、拡大されたコンテンツを示す画像データが光走査装置２１に入力され、拡大されたコンテンツの静電潜像が各感光体ドラム２３に書き込まれ、各感光体ドラム２３の潜像が現像されてそれぞれのトナー像となり、各トナー像が中間転写ベルト３１に重ねて転写されてカラー画像となり、また記録用紙として先に指定された定型サイズＡ４の記録用紙が選択され、中間転写ベルト３１上のカラー画像が定型サイズＡ４の記録用紙に転写され、定着装置２７により定型サイズＡ４の記録用紙上にカラー画像が定着される。これにより、拡大されたコンテンツが定型サイズＡ４の記録用紙に記録される（ステップＳ１０７）。例えば、図５（ａ）に示すように拡大されたコンテンツ８５が定型サイズＡ４の記録用紙に記録される。あるいは、図５（ｂ）に示すように拡大されたコンテンツ８６と余白８７が定型サイズＡ４の記録用紙に記録される。
【００８２】
以降、情報端末装置１の表示画面３ａに次のコンテンツを表示させて記録用紙に複写する場合は、ステップＳ１０１〜ステップＳ１０７の処理を繰り返せばよい。
【００８３】
また、画像形成装置Ａにおいて、シートスルー方式での読取りと複写を設定した状態で、画像形成装置Ａの入力操作部（図示せず）のスタートキーが操作される度に、画像読取り装置５１の光源６１が一定期間だけ点灯して、画像読取り装置５１の読取り動作が繰り返される場合は、情報端末装置１において、画像読取り装置５１の光源６１が点灯される度に、光源６１の光を受光素子５で受光し、受光素子５の受光信号に応答して情報端末装置１の表示画面３ａのコンテンツを切替え表示し、ステップＳ１０５〜Ｓ１０７を繰り返してもよい。これにより、それぞれのコンテンツを複数の記録用紙に順次記録することができる。この場合は、例えば、図８（ａ）に示すような複数頁Ｐ１〜Ｐ３へのコンテンツの割り振りを図８（ｂ）に示すような複数頁ｐ１〜ｐ４へのコンテンツの割り振りに修正した後、図８（ｃ）に示すように頁毎に、拡大されたコンテンツが定型サイズに収まるようなコンテンツの拡大倍率を求め、この拡大倍率で拡大されたコンテンツが記録用紙に印刷されたときに生じる該記録用紙の余白に対応するスペースをコンテンツに付加する。
【００８４】
また、情報処理装置１において、表示画面３ａ上でコンテンツをその終端までスクロール表示すると、コンテンツの表示を終了すると同時に、コンテンツを消去して、表示画面３ａ全体に空白領域を表示しても構わない。この場合は、図５（ｃ）、図８（ｃ）に示すような記録用紙の余白に対応するスペースをコンテンツに付加する必要がない。
【００８５】
更に、画像読取り装置５１の光源６１の光を情報端末装置１の受光素子５で受光し、受光素子５の受光信号の出力時点に基づき表示画面３ａ上のスクロール表示の開始タイミングを決定しているが、情報端末装置１の操作キーの操作によりスクロール表示の開始タイミングを指示しても構わない。
【００８６】
次に、本発明の情報端末装置の第２実施形態について説明する。上記第１実施形態では、１種類の画像読取り装置５１もしくは画像形成装置Ａが前提となっており、画像読取り装置５１による原稿搬送速度が一定速度であって、情報端末装置１の表示画面３ａでのスクロール速度がその一定速度に一致させられる。これに対して第２実施形態では、複数種の画像読取り装置５１もしくは画像形成装置Ａの利用が前提となっており、画像読取り装置５１もしくは画像形成装置Ａの種類により原稿搬送速度が変わることから、情報端末装置１の表示画面３ａでのスクロール速度がそれぞれの原稿搬送速度に一致するように変更される。
【００８７】
第２実施形態の情報端末装置１は、図１に示す外観と図２に示す構成を有するが、各種の画像読取り装置５１もしくは画像形成装置Ａの識別情報とそれぞれの原稿搬送速度を対応付けたデータテーブルを記憶部１２に予め記憶しており、各種の画像読取り装置５１もしくは画像形成装置Ａの識別情報を表示画面３ａに表示し、利用者が表示画面３ａ上で識別情報を選択すると、この選択した識別情報に対応する原稿搬送速度をデータテーブルから選択して読取り、この選択した原稿搬送速度と同一となるように情報端末装置１の表示画面３ａでのスクロール速度を設定する。
【００８８】
例えば、上記データテーブルは、図９に示すように構成されている。図９のデータテーブル８１では、各種の画像読取り装置５１もしくは画像形成装置Ａの識別情報として装置の型番を記録し、各型番に対応付けてそれぞれの原稿搬送速度を記録している。
【００８９】
図１０は、第２実施形態の情報端末装置１の表示画面３ａに表示されているコンテンツを画像読取り装置５１で読取らせて画像形成装置Ａで記録用紙に印刷させる手順を示すフローチャートである。尚、図１０において、図４と同様の作用を果たす部位には同じ符号を付して説明を簡略化する。
【００９０】
まず、情報端末装置１の操作キー４や表示画面３ａ上の操作ボタンの操作により、液晶表示装置３の表示画面３ａ上でコンテンツを作成して表示したり、記憶部１２からコンテンツを読み出して表示画面３ａに表示する。
【００９１】
この状態で、操作キー４や表示画面３ａ上の操作ボタンを操作して、コンテンツの複写モードを指示する。これに応答して制御部１４は、表示画面３ａ上のコンテンツを一旦消去し、図９のデータテーブル８１を参照して、各種の画像読取り装置５１もしくは画像形成装置Ａの型番を表示画面３ａに表示する（ステップＳ１１１）。このとき、利用者は、自分が利用する画像読取り装置５１もしくは画像形成装置Ａの型番を調べ、画像形成装置Ａの入力操作部（図示せず）を操作して、表示画面３ａ上の各型番のうちのその調べた型番に一致する型番を指示する。これに応答して制御部１４は、図９のデータテーブル８１を参照して、指示された型番に対応する原稿搬送速度を選択して読取り（ステップＳ１１２）、この選択した原稿搬送速度を、表示画面３ａでコンテンツをスクロール表示するときのスクロール速度として設定する（ステップＳ１１３）。
【００９２】
また、制御部１４は、拡大されたコンテンツのサイズが記録用紙の定型サイズに収まるような該コンテンツの拡大倍率を算出して求める。
【００９３】
このとき、利用者が情報端末装置１の表示画面３ａを見ており、表示画面３ａが上方に向けられている。制御部１４は、姿勢センサ１３の検出信号に基づき表示画面３ａが上方に向いていると判定し、この判定をなすと、算出して求めた拡大倍率を表示画面３ａに表示する（ステップＳ１０２）。
【００９４】
利用者は、表示画面３ａに表示された拡大倍率を確認し、画像形成装置Ａの入力操作部（図示せず）を操作して、記録用紙の定型サイズ（例えばＡ４）と拡大倍率を指定して設定する（ステップＳ１０３）。
【００９５】
この後、利用者は、原稿搬送部５１ｂを開き、情報端末装置１の表裏を反転させて、表示画面３ａを下方に向け、表示画面３ａを原稿読取りガラス６５に重ね合わせ、情報端末装置１を載置して、原稿搬送方向（副走査方向Ｙ）と情報端末装置１の表示画面３ａの縦方向を一致させる。
【００９６】
このとき、制御部１４は、姿勢センサ１３の検出信号に基づき表示画面３ａが下方に向いていると判定し、この判定をなすと、先に表示した拡大倍率を表示画面３ａから消去して、コンテンツを表示画面３ａに再表示する（ステップＳ１０４）。
【００９７】
引き続いて、利用者は、画像形成装置Ａの入力操作部（図示せず）を操作して、シートスルー方式での読取りと複写の開始を指示する。画像読取り装置５１では、シートスルー方式での読取り指示に応答して第１走査ユニット５５を原稿読取りガラス６５下方の読取り定位置に移動させ、第２走査ユニット５６を位置決めし、第１走査ユニット５５の光源６１により情報端末装置１の表示画面３ａを原稿読取りガラス６５を介して照明し、表示画面３ａからの反射光を第１及び第２走査ユニット５５、５６の各反射ミラーにより結像レンズ５７を介してＣＣＤ５８へと導き、ＣＣＤ５８により表示画面３ａ上のコンテンツを読取る（ステップＳ１０５）。
【００９８】
情報端末装置１では、受光素子５により光源６１の光を受光し、受光素子５の受光信号が制御部１４に加えられる。制御部１４は、受光信号を入力すると、この受光信号の入力タイミングに基づき画像読取り装置５１による読取り開始タイミングを求め、この読取り開始タイミングから表示画面３ａ上でコンテンツを、画像読取り装置５１の原稿搬送部５１ｂによる原稿の搬送速度と同一のスクロール速度で該表示画面３ａの縦方向にスクロール表示する（ステップＳ１０６）。
【００９９】
そして、情報処理装置１では、表示画面３ａ上でコンテンツをその終端までスクロール表示すると、コンテンツの表示を終了する。
【０１００】
画像読取り装置５１では、光源６１の点灯を一定期間継続させてから、光源６１を消灯させ、読取り動作を終了する。
【０１０１】
画像形成装置Ａでは、コンテンツを先に入力指示された拡大倍率で拡大し、拡大したコンテンツを先に指定された定型サイズの記録用紙に記録する（ステップＳ１０７）。
【０１０２】
このように第２実施形態の情報端末装置１では、各種の画像読取り装置５１もしくは画像形成装置Ａの型番を表示画面３ａに表示し、利用者が画像読取り装置５１もしくは画像形成装置Ａの型番を調べて、この調べた型番を表示画面３ａ上で選択し、この選択した型番に対応する原稿搬送速度をデータテーブルから選択して読取り、この選択した原稿搬送速度と同一となるように情報端末装置１の表示画面３ａでのスクロール速度を設定しているので、表示画面３ａ上のコンテンツを複写するために多様な画像読取り装置５１もしくは画像形成装置Ａを利用することが可能になる。
【０１０３】
次に、本発明の情報端末装置の第３実施形態について説明する。上記第２実施形態では、利用者が画像読取り装置５１もしくは画像形成装置Ａの型番を調べて、この調べた型番に対応する原稿搬送速度を図９のデータテーブル８１から選択して読取っている。これに対して第３実施形態では、原稿搬送速度をデータテーブル８１から選択して読取るだけではなく、利用者が調べた画像読取り装置５１もしくは画像形成装置Ａの型番がデータテーブル８１に記録されていなかった場合に、表示画面３ａでのスクロール速度を任意に調節設定することができるようにしている。
【０１０４】
第３実施形態の情報端末装置１は、図１に示す外観と図２に示す構成を有し、またデータテーブル８１を記憶部１２に予め記憶しており、第２実施形態と同様に、利用者が調べた画像読取り装置５１もしくは画像形成装置Ａの型番に対応する原稿搬送速度をデータテーブル８１から選択して読取り、この原稿搬送速度を表示画面３ａでのスクロール速度として設定しているが、それだけではなく、更にその調べた型番がデータテーブル８１に記録されていなかった場合は、操作キー４や表示画面３ａ上の操作ボタンの操作によりスクロール速度を任意に調節設定することができる。
【０１０５】
図１１は、第３実施形態の情報端末装置１の表示画面３ａに表示されているコンテンツを画像読取り装置５１で読取らせて画像形成装置Ａで記録用紙に印刷させる手順を示すフローチャートである。尚、図１１において、図４もしくは図１０と同様の作用を果たす部位には同じ符号を付して説明を簡略化する。
【０１０６】
まず、情報端末装置１の操作キー４や表示画面３ａ上の操作ボタンの操作により、液晶表示装置３の表示画面３ａ上でコンテンツを作成して表示したり、記憶部１２からコンテンツを読み出して表示画面３ａに表示する。
【０１０７】
この状態で、操作キー４や表示画面３ａ上の操作ボタンを操作して、コンテンツの複写モードを指示する。これに応答して制御部１４は、表示画面３ａ上のコンテンツを一旦消去し、図９のデータテーブル８１を参照して、各種の画像読取り装置５１もしくは画像形成装置Ａの型番を表示画面３ａに表示する（ステップＳ１１１）。このとき、利用者は、画像読取り装置５１もしくは画像形成装置Ａの型番を調べ、この調べた型番が表示画面３ａ上の各型番のいずれかに一致するか否かを判断する。
【０１０８】
そして、利用者は、その調べた型番が表示画面３ａ上の各型番のいずれかに一致すると、操作キー４や表示画面３ａ上の操作ボタンの操作により、表示画面３ａ上の各型番のうちのその調べた型番に一致する型番を指示する（ステップＳ１２１で「Ｙｅｓ」、ステップＳ１１２）。これに応答して制御部１４は、データテーブル８１を参照して、指示された型番に対応する原稿搬送速度を選択して読取り、この選択した原稿搬送速度を、表示画面３ａ上でコンテンツをスクロール表示するときのスクロール速度として設定する（ステップＳ１１３）。また、制御部１４は、拡大されたコンテンツのサイズが記録用紙の定型サイズに収まるような該コンテンツの拡大倍率を算出して求める。
【０１０９】
このとき、制御部１４は、姿勢センサ１３の検出信号に基づき表示画面３ａが上方に向いていると判定し、この判定をなすと、算出して求めた拡大倍率を表示画面３ａに表示する（ステップＳ１０２）。
【０１１０】
利用者は、表示画面３ａに表示された拡大倍率を確認し、画像形成装置Ａの入力操作部（図示せず）を操作して、記録用紙の定型サイズ（例えばＡ４）と拡大倍率を指定して設定する（ステップＳ１０３）。
【０１１１】
この後、利用者は、原稿搬送部５１ｂを開き、情報端末装置１の表裏を反転させて、表示画面３ａを下方に向け、表示画面３ａを原稿読取りガラス６５に重ね合わせ、情報端末装置１を載置して、原稿搬送方向（副走査方向）と情報端末装置１の表示画面３ａの縦方向を一致させる。
【０１１２】
このとき、制御部１４は、姿勢センサ１３の検出信号に基づき表示画面３ａが下方に向いていると判定し、この判定をなすと、先に表示した拡大倍率を表示画面３ａから消去して、コンテンツを表示画面３ａに再表示する（ステップＳ１０４）。
【０１１３】
引き続いて、利用者は、画像形成装置Ａの入力操作部（図示せず）を操作して、シートスルー方式での読取りと複写の開始を指示する。画像読取り装置５１では、シートスルー方式での読取り指示に応答して第１走査ユニット５５を原稿読取りガラス６５下方の読取り定位置に移動させ、第２走査ユニット５６を位置決めし、第１及び第２走査ユニット５５、５６、結像レンズ５７、及びＣＣＤ５８等により、原稿読取りガラス６５上の情報端末装置１の表示画面３ａに表示されているコンテンツを読取る。
【０１１４】
また、情報端末装置１では、受光素子５により光源６１の光を受光し、受光素子５の受光信号に応答して表示画面３ａ上でコンテンツを、画像読取り装置５１の原稿搬送部５１ｂによる原稿の搬送速度と同一のスクロール速度で該表示画面３ａの縦方向にスクロール表示する。
【０１１５】
そして、情報処理装置１では、表示画面３ａ上でコンテンツをその終端までスクロール表示すると、コンテンツの表示を終了する。
【０１１６】
画像読取り装置５１では、光源６１の点灯を一定期間継続させてから、光源６１を消灯させ、読取り動作を終了する。
【０１１７】
画像形成装置Ａでは、コンテンツを先に入力指示された拡大倍率で拡大し、拡大したコンテンツを先に指定された定型サイズの記録用紙に記録する。
【０１１８】
一方、利用者は、先に調べた画像読取り装置５１もしくは画像形成装置Ａの型番が表示画面３ａ上の各型番のいずれにも一致しなければ（ステップＳ１２１で「Ｎｏ」）、操作キー４や表示画面３ａ上の操作ボタンの操作により、その調べた型番が一致しない旨を入力する。例えば、「ＮＧ」のボタンを各型番と共に表示画面３ａに表示しておき、表示画面３ａ上の「ＮＧ」のボタンの操作によりその調べた型番が一致しない旨を入力することができるようにする。この場合、制御部１４は、図１２に示すような画像読取り装置５１の原稿搬送速度の任意設定ウィンドウ９１を表示画面３ａに表示する。この任意設定ウィンドウ９１では、３種類の原稿搬送速度を表示したそれぞれの欄９２〜９４、及び画像読取り装置５１もしくは画像形成装置Ａの識別情報を記入する欄９５が表示されている。各原稿搬送速度は、高速、中速、低速であり、多様な画像読取り装置５１の原稿搬送速度を参考にして予め設定されたものである。利用者は、表示画面３ａ上で各欄９２〜９４のいずれかを指やペン先で選択してから、操作キー４や表示画面３ａ上の操作ボタンの操作により、この選択した欄の原稿搬送速度を指示する。あるいは、表示画面３ａ上で各欄９２〜９４のいずれかを選択した後に、操作キー４や表示画面３ａ上の操作ボタンの操作により、その選択した欄の原稿搬送速度を任意の値に書き換え修正してから指示する。また、利用者は、操作キー４や表示画面３ａ上の操作ボタンの操作により、画像読取り装置５１もしくは画像形成装置Ａの識別情報を欄９５に記入する。これにより、任意の原稿搬送速度を指示することができ、任意の原稿搬送速度と識別情報を対応付けることができる（ステップＳ１２２）。識別情報は、例えば画像読取り装置５１もしくは画像形成装置Ａの型番であってもよいし、利用者が識別できるのであれば、如何なる文字列、符号等であっても構わない。
【０１１９】
こうして任意設定ウィンドウ９１上で原稿搬送速度と識別情報が設定されて指示されると、制御部１４は、これらの原稿搬送速度と識別情報をデータテーブル８１に新たに記録して、データテーブル８１を更新する（ステップＳ１２３）。これにより、図１１のフローチャートの処理を再度実行したときには、ステップＳ１１１において、新たに記録された原稿搬送速度と識別情報が表示画面３ａに表示されて選択指示の対象となる。
【０１２０】
尚、任意設定ウィンドウ９１において、識別情報を記入する欄を省略しても構わない。この場合は、任意設定ウィンドウ９１で設定された原稿搬送速度と識別情報をデータテーブル８１に記録せず、図１１のフローチャートの処理を実行する度に、任意設定ウィンドウ９１で任意の原稿搬送速度を設定する。
【０１２１】
こうして設定された任意の原稿搬送速度は、表示画面３ａ上でコンテンツをスクロール表示するときのスクロール速度として設定される。
【０１２２】
この後、先と同様にステップＳ１０２〜Ｓ１０７の処理が行われて、表示画面３ａ上でコンテンツが読取られ、拡大されたコンテンツが先に指定された定型サイズの記録用紙に記録される。
【０１２３】
このように第３実施形態の情報端末装置１では、利用者が調べた画像読取り装置５１もしくは画像形成装置Ａの型番がデータテーブル８１に記録されていなかった場合に、表示画面３ａでのスクロール速度を任意に調節設定することができ、不特定の画像読取り装置５１もしくは画像形成装置Ａを利用して、表示画面３ａ上のコンテンツを複写することができる。
【０１２４】
以上、本発明の実施形態を詳述したが、本発明は、上記実施形態に限定されるものではなく、本発明の要旨を逸脱しない範疇の設計変更等が施されたものであっても、本発明の範囲に含まれる。
【符号の説明】
【０１２５】
１  情報端末装置
２  本体筐体
３  液晶表示装置
３ａ  表示画面
４  操作キー
５  受光素子（スクロール開始指示部）
１１  入力操作部
１２  記憶部
１３  姿勢センサ（上下検出部）
１４  制御部
２１  光走査装置
２２  現像装置
２３  感光体ドラム
２４  ドラムクリーニング装置
２５  帯電器
２６  中間転写ベルト装置
２７  定着装置
２８  給紙トレイ
２９  用紙排出トレイ
５１  画像読取り装置
５１ａ  読取り本体部
５１ｂ  原稿搬送部
８１  データテーブル（搬送速度記憶部）
Ａ  画像形成装置
【図１】
2012093903.tif 000003
【図２】
2012093903.tif 000004
【図３】
2012093903.tif 000005
【図４】
2012093903.tif 000006
【図５】
2012093903.tif 000007
【図６】
2012093903.tif 000008
【図７】
2012093903.tif 000009
【図８】
2012093903.tif 000010
【図９】
2012093903.tif 000011
【図１０】
2012093903.tif 000012
【図１１】
2012093903.tif 000013
【図１２】
2012093903.tif 000014